(57)【要約】【課題】操作部材が光源の光の放射領域に向かって突出していても光源の光を遮りにくい非常用照明装置を提供する。【解決手段】照明装置本体３は、点灯装置、第１操作部材３３（操作部材）、及び筐体３４を有し、筐体３４に光源ユニット２が取り付けられる。覆い部４は、平板部４１を有し、平板部４１が照明装置本体３、光源ユニット２、平板部４１の順に一列に並べられる。第１操作部材３３は、光源２１の光の放射領域に向かって筐体３４から突出する。点灯装置は、押操作された第１操作部材３３に押されてオン状態になる押釦スイッチを有する。平板部４１には、光源２１の光を通す第１孔４２（窓部）と、照明装置本体３に向かって窪んだ窪み部４４と、が設けられている。第１操作部材３３は、窪み部４４の底４４１に設けられた第２孔４３を通って窪み部４４の底４４１から突出している。【選択図】図３
2017216143.tif 000002
【特許請求の範囲】
【請求項１】
光源を有する光源ユニットと、
点灯装置、電池、操作部材、及び筐体を有し、前記筐体に前記光源ユニットが取り付けられる照明装置本体と、
平板部を有し、前記平板部が前記照明装置本体、前記光源ユニット、前記平板部の順に一列に並べられる覆い部と、
を備え、
前記筐体は、前記点灯装置、及び前記電池を収納し、
前記操作部材は、前記光源の光の放射領域に向かって前記筐体から突出し、突出方向と逆方向に所定の移動量に達する位置まで押操作されるように構成され、
前記点灯装置は、外部電源から供給される電力で前記電池を充電する充電回路と、前記外部電源が停電したときに前記電池から供給される電力で前記光源を点灯させる点灯回路と、押操作された前記操作部材に押されてオン状態になる押釦スイッチと、前記押釦スイッチがオン状態になったときに前記点灯回路に前記光源を点灯させる制御回路と、を有し、
前記平板部には、前記光源の光を通す窓部と、前記照明装置本体に向かって窪んだ窪み部と、が設けられ、
前記窪み部の底には、前記操作部材を通す孔が設けられ、
前記操作部材は、前記孔を通って前記窪み部の底から突出している
ことを特徴とする非常用照明装置。
【請求項２】
前記窪み部の底は平坦である
ことを特徴とする請求項１に記載の非常用照明装置。
【請求項３】
前記照明装置本体が取り付けられる取付部材を更に備え、
前記光源ユニットは、前記光源と熱的に結合した放熱部を有し、
前記取付部材は、前記放熱部と熱的に結合し、
前記覆い部は、前記平板部を前記取付部材に固定して前記平板部と前記取付部材とを熱的に結合する脚部を有している
ことを特徴とする請求項１又は２に記載の非常用照明装置。
【発明の詳細な説明】
【技術分野】
【０００１】
本発明は、非常用照明装置に関し、特に、外部電源の停電時に電池から供給される電力で光源を点灯させる非常用照明装置に関する。
【背景技術】
【０００２】
従来、廊下や通路などの天井面に埋め込み設置され、停電時などの非常時に点灯する照明装置が知られている（例えば特許文献１参照）。特許文献１に記載の照明装置は、本体と、ユニット部と、二次電池と、化粧枠と、を備えている。ユニット部は、光源と、この光源から出射した光の配光を制御するレンズと、光源を点灯させる点灯ユニットと、筐体と、を備える。化粧枠には、レンズを下方に突出させるための円形状の開口部が設けられている。この開口部の両側に、点検スイッチを下方へと突出させるための孔部が設けられている。点検スイッチは、所定の点検を行うために操作される押しボタンスイッチである。
【先行技術文献】
【特許文献】
【０００３】
【特許文献１】特開２０１５−６５０７６号公報
【発明の概要】
【発明が解決しようとする課題】
【０００４】
特許文献１に記載の照明装置では、化粧枠からレンズと点検スイッチとが下方に突出している。点検スイッチの化粧枠からの突出量が多いほど、点検スイッチがレンズから出射した光の一部を遮りやすくなる可能性があった。
【０００５】
本発明は上記課題に鑑みてなされ、操作部材が光源の光の放射領域に向かって突出していても光源の光を遮りにくい非常用照明装置を提供することを目的とする。
【課題を解決するための手段】
【０００６】
本発明の非常用照明装置は、光源ユニットと、照明装置本体と、覆い部と、を備える。光源ユニットは、光源を有する。照明装置本体は、点灯装置、電池、操作部材、及び筐体を有し、前記筐体に前記光源ユニットが取り付けられる。前記覆い部は、平板部を有し、前記平板部が前記照明装置本体、前記光源ユニット、前記平板部の順に一列に並べられる。前記筐体は、前記点灯装置、及び前記電池を収納する。前記操作部材は、前記光源の光の放射領域に向かって前記筐体から突出し、突出方向と逆方向に所定の移動量に達する位置まで押操作されるように構成される。前記点灯装置は、充電回路と、点灯回路と、押釦スイッチと、制御回路と、を有する。前記充電回路は、外部電源から供給される電力で前記電池を充電する。前記点灯回路は、前記外部電源が停電したときに前記電池から供給される電力で前記光源を点灯させる。前記押釦スイッチは、押操作された前記操作部材に押されてオン状態になる。前記制御回路は、前記押釦スイッチがオン状態になったときに前記点灯回路に前記光源を点灯させる。前記平板部には、前記光源の光を通す窓部と、前記照明装置本体に向かって窪んだ窪み部と、が設けられる。前記窪み部の底には、前記操作部材を通す孔が設けられる。前記操作部材は、前記孔を通って前記窪み部の底から突出していることを特徴とする。
【発明の効果】
【０００７】
本発明の非常用照明装置は、操作部材が光源の光の放射領域に向かって突出していても光源の光を遮りにくい。
【図面の簡単な説明】
【０００８】
【図１】図１は、本発明の一実施形態に係る非常用照明装置の分解斜視図である。
【図２】図２は、同上の非常用照明装置における要部の斜視図である。
【図３】図３は、同上の非常用照明装置における別の要部の斜視図である。
【図４】図４は、同上の非常用照明装置における要部の拡大図である。
【図５】図５は、同上の非常用照明装置における要部の下面図である。
【図６】図６は、同上の非常用照明装置における図５のＡ−Ａ線断面図である。
【図７】図７は、同上の非常用照明装置の回路ブロック図である。
【発明を実施するための形態】
【０００９】
本発明の一実施形態に係る非常用照明装置１について、図１〜図７を参照して説明する。以下の実施形態で説明する構成は本発明の一例にすぎない。本発明は、以下の実施形態に限定されず、本発明に係る技術的思想を逸脱しない範囲であれば、設計などに応じて種々の変更が可能である。
【００１０】
非常用照明装置１は、天井などの造営材に埋め込まれる。非常用照明装置１は、外部電源９（図７参照）から電力が供給されている場合は光源２１を消灯させている。非常用照明装置１は、外部電源９が停電すると光源２１を点灯させる。非常用照明装置１は、外部電源９が停電した際に、規定の時間以上、光源２１を点灯させる必要がある。そのため、非常用照明装置１は、規定の時間以上、光源２１が点灯することを作業者によって定期的に確認される。この確認作業のことを「定期点検」と呼ぶ。
【００１１】
非常用照明装置１は、図１に示すように、光源ユニット２と、照明装置本体３と、覆い部４と、を備えている。非常用照明装置１は、取付部材５と、パネル６と、保持部材８と、カバー７と、外殻１０と、を更に備えている。パネル６と、保持部材８と、カバー７と、外殻１０と、についての説明は後述する。
【００１２】
光源ユニット２は、光源２１を有する。光源ユニット２は、基板と、レンズ２３と、固定部材２４と、放熱部２２と、を更に有する。光源２１は、例えば、ＬＥＤ（Light Emitting Diode）チップと、ＬＥＤチップを覆う封止樹脂と、で構成される。ＬＥＤチップは、例えば、青色光を放射する青色発光ダイオードである。ＬＥＤチップは、基板の表面に設けられている。基板は、例えば、アルミニウム合金などからなる金属板を含む金属ベースプリント基板である。基板の表面の一部は、絶縁性材料で覆われている。封止樹脂には、例えば、ＬＥＤチップから放射される青色光により励起されて黄色光を放射する蛍光物質が混入されている。そのため、光源２１の発光色は略白色となる。
【００１３】
レンズ２３は、例えばガラスからなる。レンズ２３は、図１に示すように、光源２１の光の放射領域が方向Ａ１側となるように配光を制御する。方向Ａ１とは、例えば下方向である。レンズ２３は、光源２１よりも方向Ａ１側に配置されている。レンズ２３は、方向Ａ１と逆方向から見て円状であって、かつ方向Ａ１に向かって突出するように形成されている。レンズ２３は、光源２１の光の放射領域が方向Ａ１に向かうにつれて方向Ａ１と交差する方向に広がるように、光源２１から放射される光の配光を制御する。これにより、光源２１は、レンズ２３の外径よりも広い領域を照らすことができる。
【００１４】
放熱部２２は、例えばアルミニウム又はアルミニウム合金からなる。放熱部２２は、図１及び図２に示すように、板状の結合部２２１と、板状の側部２２２と、を有している。結合部２２１は、方向Ａ１と交差する面を有する。結合部２２１において方向Ａ１と交差する面には、光源２１における基板とレンズ２３とが固定部材２４（図２参照）によって取り付けられる。固定部材２４は、レンズ２３の基板側の縁部分を基板とで挟んでレンズ２３を基板に固定している。また、固定部材２４は結合部２２１にねじ止めされる。したがって、レンズ２３と基板とは、固定部材２４と結合部２２１とに挟まれて固定されている。結合部２２１は、光源２１と熱的に結合されている。側部２２２は、方向Ａ１と平行する面を有する。側部２２２は、結合部２２１の縁から上方（方向Ａ１と逆方向）に突出するように結合部２２１と一体に形成されている。
【００１５】
照明装置本体３は、点灯装置３１（図７参照）、電池３２（図７参照）、第１操作部材３３、及び筐体３４を有する。照明装置本体３は、第１操作部材３３とは別に、第２操作部材３６（図２〜図６参照）を更に有する。第１操作部材３３と第２操作部材３６との各々は、作業者が定期点検を行う際に、電池３２の電力で光源２１を点灯させる場合に操作される。
【００１６】
筐体３４は、点灯装置３１、及び電池３２を収納する。筐体３４は、方向Ａ１と交差する面を有する。筐体３４において方向Ａ１と交差する面には、光源ユニット２が取り付けられている。光源ユニット２における放熱部２２の結合部２２１と側部２２２とは、筐体３４に接した状態で筐体３４から露出している。
【００１７】
取付部材５は、基部５１と支持部５２と、を有する。基部５１は、方向Ａ１と交差する面を有する板状の板部５１１と、板部５１１の縁から上方（方向Ａ１と逆方向）に突出する取付部５１２と、を含む。板部５１１は、照明装置本体３の筐体３４において光源ユニット２が取り付けられた面と反対側の面と接する。板部５１１には、照明装置本体３に向かって突出するＬ字形状の係止部が設けられている。その係止部が筐体３４に引っかかることにより、照明装置本体３は板部５１１に引っかかっている。
【００１８】
支持部５２は、図２に示すように、脚部５２１と、係止部５２２と、固定部５２３と、を有する。脚部５２１は、板状に形成されていて、方向Ａ１と平行する平面を有する。係止部５２２は、板状に形成されていて、脚部５２１における方向Ａ１側の端から突出している。係止部５２２は、方向Ａ１と交差する面を有する。係止部５２２は、放熱部２２の結合部２２１に接して熱的に結合している。係止部５２２は、例えば、ねじ止めなどにより結合部２２１に固定される。脚部５２１は、放熱部２２の側部２２２に接して側部２２２と熱的に結合している。
【００１９】
固定部５２３は、板状に形成されている。固定部５２３は、脚部５２１における方向Ａ１と反対側の端から、係止部５２２と反対側に突出している。固定部５２３は、例えば、ねじ止めなどにより取付部材５の板部５１１に固定されており、板部５１１と熱的に結合している。
【００２０】
筐体３４には、図２に示すように、光源ユニット２が取り付けられる面の隣に平板部３５が設けられている。平板部３５は、光源ユニット２が取り付けられる面と平行する面を有する。平板部３５には、孔３５１，３５２が形成されている。孔３５１，３５２は、軸方向が方向Ａ１に沿うように形成されている。孔３５１は、第１操作部材３３を筐体３４から突出させるために設けられている。孔３５２は、第２操作部材３６を筐体３４から突出させるために設けられている。
【００２１】
第１操作部材３３と第２操作部材３６との各々は、丸棒状の部位を有する。第１操作部材３３と第２操作部材３６は、丸棒状の部位の軸方向が方向Ａ１に沿うように筐体３４に設けられている。第１操作部材と第２操作部材３６はそれぞれ、筐体３４における平板部３５の孔３５１，３５２を通って平板部３５から突出する。第１操作部材３３は、第２操作部材３６よりも、筐体３４からの突出寸法が大きくなるように設けられている。第１操作部材３３と第２操作部材３６との各々は、方向Ａ１と逆方向に押操作されると筐体３４内に向かって移動する。第１操作部材３３と第２操作部材３６との各々は、所定の移動量に達する位置まで押操作されると、後述する押釦スイッチ３１６，３１７（図７参照）をオン状態にする。第１操作部材３３と第２操作部材３６との各々は、押操作された後は元の位置に復帰するように構成される。
【００２２】
覆い部４は、例えばアルミニウム又はアルミニウム合金からなる。覆い部４は、図１、図３〜図６に示すように、平板部４１と、窪み部４４と、を有する。覆い部４は、２つの脚部４７を更に有する。
【００２３】
覆い部４の平板部４１は、板状に形成されている。平板部４１は、方向Ａ１と交差する面を有する。
【００２４】
２つの脚部４７の各々は、支持部４７１と、結合部４７２と、を有する。２つの支持部４７１は、平板部４１の両側の端にそれぞれ設けられている。２つの支持部４７１は、平板部４１から上方（方向Ａ１と逆方向）に突出するように設けられている。２つの結合部４７２の各々は、支持部４７１の先端に設けられている。結合部４７２は、方向Ａ１と交差する面を有する板状に形成されている。２つの結合部４７２は、取付部材５の基部５１にねじ止めなどにより取り付けられる。２つの結合部４７２は、基部５１と面接触して基部５１と熱的に結合される。２つの結合部４７２が基部５１に取り付けられることにより、２つの支持部４７１は、覆い部４の平板部４１を取付部材５に固定する。つまり、２つの脚部４７は、平板部４１と取付部材５とを熱的に結合する機能と、平板部４１を取付部材５に固定する機能と、を有している。覆い部４は、方向Ａ１に沿って照明装置本体３、光源ユニット２、平板部４１の順に一列に並ぶように取付部材５に固定される。
【００２５】
覆い部４の平板部４１は、覆い部４の２つの脚部４７が取付部材５の基部５１に取り付けられた状態で、照明装置本体３及び光源ユニット２に対して位置決めされる。平板部４１の中央には第１孔４２（窓部）が設けられている。平板部４１の第１孔４２は、第１孔４２の中心が光源ユニット２のレンズ２３の中心と方向Ａ１に沿って重なる位置に設けられている。第１孔４２の内径は、レンズ２３の外径よりも大きい。第１孔４２は、光源２１の光を方向Ａ１に向けて通すために設けられている。平板部４１は、方向Ａ１と逆方向から見て、照明装置本体３における方向Ａ１側の部位を覆っており、照明装置本体３における方向Ａ１側の部位が見えにくくなるようにしている。平板部４１は、照明装置本体３を見えにくくする「化粧板」としての機能と、後述する「放熱板」としての機能とを有する。
【００２６】
覆い部４の窪み部４４は、照明装置本体３に向かって窪むように形成されている。窪み部４４は、一例として、平板部４１の一部を窪ませるプレス加工などにより形成されている。窪み部４４の底４４１は、底４４１における方向Ａ１側の表面が平板部４１の表面と平行する面となるように平坦に形成されている。窪み部４４の底４４１には、第２孔４３と、２つの第３孔４５と、第４孔４６と、が設けられている。第２孔４３と、２つの第３孔４５と、第４孔４６とは、方向Ａ１と逆方向から見て、２行２列をなすように並んでいる。２つの第３孔４５の各々は、図５に示すように、方向Ａ１と逆方向から見て、受信部３１８（後述する）と発光ダイオード３１５（後述する）とを露出させるために設けられている。
【００２７】
第２孔４３は、中心が第１操作部材３３の軸と方向Ａ１に沿って重なる位置に設けられている。第２孔４３は、内径が第１操作部材３３の外径よりも大きくなるように形成されている。第２孔４３は、第１操作部材３３を通して第１操作部材３３を窪み部４４の底４４１から突出させるために設けられている。第１操作部材３３は、窪み部４４の底４４１から第１操作部材３３の先端までの寸法が所定の移動量となるように構成されている。
【００２８】
第４孔４６は、中心が第２操作部材３６の軸と方向Ａ１に沿って重なる位置に設けられている。第４孔４６は、内径が第２操作部材３６の外径よりも大きくなるように形成されている。第４孔４６は、方向Ａ１と逆方向から見て第２操作部材３６を露出させるために設けられている。第２操作部材３６は、誤って押操作されることを抑制するために、覆い部４の窪み部４４の底４４１から突出しない長さとなるように構成されている。第２操作部材３６は、作業者が、例えばピンなどの治具を第４孔４６に差し込むなどして押操作される。
【００２９】
ここで、覆い部４の窪み部４４と、第１操作部材３３と第２操作部材３６との関係について図６を参照して説明する。第１操作部材３３が、少なくとも覆い部４の表面側に所定の移動量だけ突出していれば、作業者は、第１操作部材３３を押操作して押釦スイッチ３１６（図７参照）を簡単にオン状態にすることができる。第１操作部材３３は、窪み部４４の底４４１から第１操作部材３３の先端までの寸法が所定の移動量となっているので、作業者は第１操作部材３３を押操作しやすく、かつ押釦スイッチ３１６をオン状態にしやすい。
【００３０】
仮に、覆い部４に窪み部４４が設けられておらず、覆い部４の平板部４１の表面から第１操作部材３３が突出している場合、第１操作部材３３は、平板部４１の表面から所定の移動量だけ突出している必要がある。平板部４１の表面からの突出寸法が大きいほど、レンズ２３から出射した光源２１の光を第１操作部材３３が遮る可能性がある。一方、覆い部４に窪み部４４が設けられていて、窪み部の底４４１から第１操作部材３３が突出する場合、平板部４１の表面からの窪み量（平板部４１の表面と窪み部４４の底４４１の表面との間隔）だけ、第１操作部材３３の押操作時の移動量を確保できる。そのため、覆い部４に窪み部４４が設けられていない場合と比べて、第１操作部材３３の長さを平板部４１の表面からの窪み量だけ短くしても、第１操作部材３３の押操作時の移動量が所定の移動量となるようにすることができる。したがって、第１操作部材３３が窪み部４４の底４４１から突出することにより、第１操作部材３３の押操作時の所定の移動量を確保しつつ、第１操作部材３３における平板部４１の表面からの突出寸法を小さくすることができる。第１操作部材３３における平板部４１の表面からの突出寸法が小さいほど、第１操作部材３３は、光源２１から放射されてレンズ２３から出射した光を遮りにくくなる。
【００３１】
非常用照明装置１の回路構成について図７を参照して説明する。非常用照明装置１の点灯装置３１は、電源回路３１０、充電回路３１１、点灯回路３１２、停電検出回路３１３、制御回路３１４、発光ダイオード３１５、押釦スイッチ３１６，３１７、受信部３１８を有する。
【００３２】
電源回路３１０は、例えば、リンギングチョークコンバータなどの自励型のスイッチング電源回路で構成される。電源回路３１０は、外部電源９（例えば、商用の電力系統に接続されている電源）から供給される交流電圧を直流電圧に変換して、充電回路３１１と、制御回路３１４と、に電力を供給する。
【００３３】
充電回路３１１は、電源回路３１０から受けた電力で電池３２を充電する。充電回路３１１と電池３２とは、発光ダイオード３１５を含む電路で電気的に接続されている。発光ダイオード３１５のアノードは充電回路３１１に接続されている。発光ダイオード３１５のカソードは電池３２に接続されている。発光ダイオード３１５は、充電回路３１１が電池３２に充電のための電流を供給している場合に点灯する。
【００３４】
点灯回路３１２は、電池３２から供給される電力で動作する。点灯回路３１２は、制御回路３１４の制御に応じて、所定の電流を電池３２から光源ユニット２に供給する。停電検出回路３１３は、電源回路３１０の出力電圧に基づいて外部電源９の停電を検出する。停電検出回路３１３は、外部電源９の停電を検出すると、制御回路３１４に通知信号を出力する。
【００３５】
受信部３１８は、例えば赤外線を媒体とする無線信号を受信するように構成される。受信部３１８は、受信した無線信号に含まれる情報を制御回路３１４に出力する。無線信号は、例えば、作業者が操作するワイヤレス送信器から送信される。
【００３６】
制御回路３１４は、充電回路３１１と、点灯回路３１２との動作を制御する。制御回路３１４は、停電検出回路３１３が通知信号を出力した場合、及び受信部３１８が無線信号に含まれる情報を出力した場合に、充電回路３１１と点灯回路３１２との制御内容を変える。また、制御回路３１４は、押釦スイッチ３１６，３１７がオフ状態からオン状態になった場合にも、充電回路３１１と点灯回路３１２との制御内容を変える。
【００３７】
制御回路３１４の通常の動作について説明する。制御回路３１４は、停電検出回路３１３が停電を検出した場合、充電回路３１１を停止させ、かつ、点灯回路３１２を動作させる。制御回路３１４は、停電検出回路３１３が停電を検出していない場合、充電回路３１１を動作させて電池３２を充電させ、かつ、点灯回路３１２を停止させる。
【００３８】
ここで、作業者が定期点検を行う場合の制御回路３１４の動作について説明する。定期点検では、作業者は、点灯回路３１２を強制的に動作させて、電池３２の電力で光源２１が規定の時間以上、点灯し続けることを確認する。
【００３９】
作業者は、ピンなどの治具を、覆い部４の孔４６に差し込むなどして、第２操作部材３６を所定の移動量に達する位置まで筐体３４に向けて押し込み、押釦スイッチ３１７をオン状態にする。制御回路３１４は、押釦スイッチ３１７がオン状態になった場合、充電回路３１１を停止させ、かつ点灯回路３１２を動作させる。作業者は、点灯回路３１２を強制的に動作させる別の方法として、ワイヤレス送信器を操作して、定期点検の実施を通知する情報を含む無線信号を受信部３１８に送信してもよい。制御回路３１４は、受信部３１８から定期点検の実施を通知する情報を取得すると、充電回路３１１を停止させ、かつ点灯回路３１２を動作させる。
【００４０】
また、作業者は、第１操作部材３３を押操作することにより、光源２１が電池３２の電力で点灯するか否かを簡単に確認することもできる。作業者は、指先又はピンなどの治具で、第１操作部材３３を所定の移動量に達する位置まで筐体３４に向けて押し込んで、押釦スイッチ３１６をオン状態にする。制御回路３１４は、押釦スイッチ３１６がオン状態になった場合は、点灯回路３１２を数秒間動作させた後、再度、点灯回路３１２を停止させ、かつ、充電回路３１１を動作させる。これにより、作業者は、点灯回路３１２が電池３２の電力で光源２１を点灯させるように動作することを確認できる。
【００４１】
以上説明したように、本実施形態の非常用照明装置１は、光源ユニット２と、照明装置本体３と、覆い部４と、を備えている。光源ユニット２は、光源２１を有する。照明装置本体３は、点灯装置３１、電池３２、第１操作部材３３（操作部材）、及び筐体３４を有し、筐体３４に光源ユニット２が取り付けられる。覆い部４は、平板部４１を有し、平板部４１が照明装置本体３、光源ユニット２、平板部４１の順に一列に並べられる。筐体３４は、点灯装置３１、及び電池３２を収納する。第１操作部材３３（操作部材）は、光源２１の光の放射領域に向かって筐体３４から突出し、突出方向と逆方向に所定の移動量に達する位置まで押操作されるように構成される。点灯装置３１は、充電回路３１１と、点灯回路３１２と、押釦スイッチ３１６と、制御回路３１４と、を有する。充電回路３１１は、外部電源９から供給される電力で電池３２を充電する。点灯回路３１２は、外部電源９が停電したときに電池３２から供給される電力で光源２１を点灯させる。押釦スイッチ３１６は、押操作された第１操作部材３３（操作部材）に押されてオン状態になる。制御回路３１４は、押釦スイッチ３１６がオン状態になったときに点灯回路３１２に光源２１を点灯させる。平板部４１には、光源２１の光を通す第１孔４２（窓部）と、照明装置本体３に向かって窪んだ窪み部４４と、が設けられている。窪み部４４の底４４１には、第１操作部材３３（操作部材）を通す第２孔４３（孔）が設けられている。第１操作部材３３（操作部材）は、第２孔４３を通って窪み部４４の底４４１から突出している。
【００４２】
上記構成によれば、第１操作部材３３は、照明装置本体３に向かって窪んでいる窪み部４４の底４４１を通って光源２１の光の放射領域に向かって突出している。第１操作部材３３が窪み部４４の底４４１から突出しているので、第１操作部材３３が押操作された際の第１操作部材３３の移動量は、窪み部４４の底４４１から第１操作部材３３の先端部分までの寸法となる。窪み部４４の窪み寸法だけ第１操作部材３３の移動量が確保されるので、第１操作部材３３の所定の移動量を確保しつつ、第１操作部材３３が平板部４１の表面から光源２１の光の放射領域に向かって突出する寸法を小さくすることができる。そのため、非常用照明装置１では、第１操作部材３３が光源２１の光の放射領域に向かって突出していても、第１操作部材３３が光源２１の光を遮りにくくなっている。
【００４３】
非常用照明装置１において、窪み部４４の底４４１は平坦であることが好ましい。これにより、第１操作部材３３（操作部材）の先端部分が、窪み部４４の平坦な底４４１から突出することになるので、第１操作部材３３の位置がわかりやすい。
【００４４】
非常用照明装置１は、照明装置本体３が取り付けられる取付部材５を更に備えることが好ましい。光源ユニット２は、光源２１と熱的に結合した放熱部２２を有する。取付部材５は、放熱部２２と熱的に結合している。覆い部４は、平板部４１を取付部材５に固定して平板部４１と取付部材５とを熱的に結合する脚部４７を有している。上記構成によれば、光源２１の熱は放熱部２２を介して取付部材５に伝わる。覆い部４の脚部４７は、平板部４１と取付部材５とを熱的に結合する。そのため、覆い部４の平板部４１には、取付部材５と脚部４７とを介して光源２１の熱が伝わる。これにより、平板部４１は、光源２１の放熱板として機能することができる。
【００４５】
ところで、非常用照明装置１の覆い部４における窪み部４４は、プレス加工により形成されることに限定されず、例えば、覆い部４の平板部４１の一部の厚さを薄くするように削って形成されていてもよい。窪み部４４には、少なくとも第１操作部材３３を通すための第２孔４３が設けられていればよく、２つの第３孔４５と、第４孔４６と、は省略可能である。その場合、受信部３１８と、発光ダイオード３１５と、第２操作部材３６と、は省略可能である。
【００４６】
覆い部４の平板部４１は、厚さが一定の板状部材であることに限定されず、例えば、平板部４１の一部の部位の厚さが他の部位よりも大きく（又は小さく）なるように形成されていてもよい。また、平板部４１の表面は、平面であることに限定されず、例えば、平板部４１が、光源２１から放射される光を遮らない程度に湾曲する面などを有していてもよい。
【００４７】
第１操作部材３３の先端部分から窪み部４４の底４４１までの寸法は、第１操作部材３３を押操作する際の所定の移動量となるように構成されることに限定されず、所定の移動量以上であればよい。
【００４８】
覆い部４の平板部４１には、第１孔４２が設けられていることに限定されず、光源２１の光を通す窓部が設けられていればよい。窓部は例えば、透光性を有する材料（例えばガラス又は透光性の樹脂など）で覆われていてもよい。
【００４９】
ところで、本実施形態における非常用照明装置１では、図２に示すように、筐体３４の平板部３５における孔３５１の縁に、方向Ａ１に沿って突出する２つの保護壁３５３が設けられている。２つの保護壁３５３は、孔３５１を通る第１操作部材３３の突出方向と同じ方向に突出している。２つの保護壁３５３は、孔３５１を通る第１操作部材３３の両側に配置されている。２つの保護壁３５３の各々と第１操作部材３３との間には隙間が設けられている。２つの保護壁３５３の各々は、第１操作部材３３に近い側の面が平坦面となっている。そのため、２つの保護壁３５３の間に、方向Ａ１と逆方向から、先端が平板状の治具（例えばマイナスドライバなど）を挿入しやすくなっている。２つの保護壁３５３は、覆い部４の窪み部４４における第２孔４３を通って窪み部４４の底４４１から突出している。２つの保護壁３５３の各々は、第１操作部材３３と反対側の側面が、方向Ａ１に向かうに連れて第１操作部材３３に近付く向きに傾斜する傾斜面を有する。この傾斜面により、作業者が覆い部４を取付部材５に固定する際に、２つの保護壁３５３が第２孔４３に入りやすくなっている。
【００５０】
２つの保護壁３５３における窪み部４４の底４４１からの突出寸法は、窪み部４４の底４４１から第１操作部材３３の先端部分までの突出寸法よりも小さい。より詳細には、２つの保護壁３５３の先端部分から第１操作部材３３の先端部分までの寸法は、第１操作部材３３の所定の移動量よりも小さくなっている。
【００５１】
２つの保護壁３５３は、例えば、作業者が、作業中に手に持っている部材で誤って第１操作部材３３に触れてしまった場合に、第１操作部材３３が所定の移動量に達する位置まで押し込まれにくくするために設けられている。例えば、作業者が誤って第１操作部材３３に触れて押し込んでしまった場合でも、第１操作部材３３に触れた部位が２つの保護壁３５３に接することにより、第１操作部材３３がそれ以上押し込まれにくい。そのため、押釦スイッチ３１６が誤ってオン状態にされることが抑制される。なお、筐体３４における２つの保護壁３５３は、省略することも可能である。
【００５２】
ここで、非常用照明装置１における外殻１０と、カバー７と、パネル６と、保持部材８と、について説明する。
【００５３】
外殻１０は、フランジ１１を有する有底円筒状に形成されている。外殻１０は、軸方向が方向Ａ１に沿っていて、方向Ａ１と逆方向側に底部を有し、方向Ａ１側に開口部１４を有している。外殻１０の底部は、例えば、ボルトとナットとを利用して、天井よりも上方に設けられた造営材に固定される。外殻１０は、天井に埋め込まれる。
【００５４】
外殻１０のフランジ１１は、外殻１０の開口部１４の周囲から外殻１０の径方向に張り出ている。フランジ１１における方向Ａ１側の面には、３つの取付台１２が設けられている。３つの取付台１２は、フランジ１１から方向Ａ１に突出している。３つの取付台１２の各々には、ねじ孔が設けられている。そのねじ孔の軸は、方向Ａ１に沿っている。フランジ１１には、第１パッキン１３が取り付けられている。第１パッキン１３は、例えばゴムなどの弾性部材からなる。第１パッキン１３は、フランジ１１の方向Ａ１側の面の外周部分を覆っている。
【００５５】
カバー７は、アルミニウム又はアルミニウム合金からなる。カバー７は、円板部７１と、円板部７１の縁全体から外殻１０に近づく方向に突出する周壁７２と、を有する。円板部７１の外径は、外殻１０の開口部１４の内径よりも大きく、フランジ１１の外径よりも小さい。円板部７１の中央には、円状の窓孔７０が設けられている。窓孔７０の内径は、外殻１０の開口部１４の内径より小さい。円板部７１における方向Ａ１と反対側の面には、パネル６と、第２パッキン６１と、保持部材８とが取り付けられる。円板部７１の外周側の部位には、３つの孔７３が設けられている。３つの孔７３は、外殻１０の３つの取付台１２におけるねじ孔に一対一で対応する。
【００５６】
パネル６は、例えばガラスなどの透光性を有する部材からなる。パネル６は、円板状に形成されている。パネル６の外径は、窓孔７０の内径よりも大きい。パネル６における方向Ａ１側の表面の外周部分と、パネル６の裏面の外周部分と、パネル６の縁とは、第２パッキン６１で覆われている。第２パッキン６１は、例えばゴムなどの弾性を有する部材からなる。
【００５７】
保持部材８は、パネル６をカバー７の裏面に固定するように構成されている。保持部材８は、カバー７にねじ止めなどにより取り付けられる。保持部材８は、パネル６に取り付けられた第２パッキン６１をカバー７とで挟む。保持部材８には、カバー７の窓孔７０と略同じ内径の孔８１が設けられている。保持部材８は、孔８１と、パネル６と、カバー７の窓孔７０との各々の中心が、方向Ａ１と逆方向から見て重なるようにカバー７の裏面に取り付けられる。第２パッキン６１は、保持部材８とパネル６とカバー７の円板部７１とに挟まれることにより、カバー７の窓孔７０とパネル６との隙間を塞いでいる。
【００５８】
カバー７は、カバー７の３つの孔７３と、外殻１０のフランジ１１における３つの取付台１２のねじ孔とを通る３つのねじで外殻１０に取り付けられる。カバー７は、カバー７の周壁７２が、外殻１０のフランジ１１に設けられた第１パッキン１３の全周に接することにより、カバー７と外殻１０の開口部１４との隙間が埋められている。カバー７は、光源２１の光を窓孔７０から外部に放射することができて、かつ、外殻１０の開口部１４を隙間なく覆っている。そのため、非常用照明装置１は、例えば、防水性を有していて、外殻１０の外部から内部に、水分及び湿気又は埃などが入りにくくなっている。これにより、非常用照明装置１は、例えば、比較的湿度の高い室内、及び、クリーンルームなどでも使用することができる。
【００５９】
ところで、非常用照明装置１において、外殻１０の底部が造営材に固定されることに限定されず、外殻１０は、例えば、造営材に取り付けられた支持部材に固定されてもよい。また、非常用照明装置１は、天井に埋め込まれる埋込型に限定されず、天井に直付けされる直付け型であってもよい。
【００６０】
本実施形態における非常用照明装置１では、方向Ａ１を下方向として説明したが、方向Ａ１は下方向に限定されず、任意の向きであってもよい。第１操作部材３３は、丸棒状の部位を有することに限定されず、角柱などのような多角形の棒状の部位を有していてもよい。
【符号の説明】
【００６１】
１  非常用照明装置
２  光源ユニット
２１  光源
２２  放熱部
３  照明装置本体
３１  点灯装置
３２  電池
３３  第１操作部材（操作部材）
３４  筐体
３１１  充電回路
３１２  点灯回路
３１４  制御回路
３１６  押釦スイッチ
４  覆い部
４１  平板部
４２  第１孔（窓部）
４３  第２孔（孔）
４４  窪み部
４４１  底
４７  脚部
５  取付部材
９  外部電源
【図１】
2017216143.tif 000003
【図２】
2017216143.tif 000004
【図３】
2017216143.tif 000005
【図４】
2017216143.tif 000006
【図５】
2017216143.tif 000007
【図６】
2017216143.tif 000008
【図７】
2017216143.tif 000009